(57)【特許請求の範囲】
【請求項１】
用紙の真偽判定機能を備える捺印機であって、携帯可能なケース内には捺印機構と用紙の導電性を識別する一対の検出電極とそれに接続する表示回路を備え、前記検出電極が用紙の用紙判定領域の導電性を検知した場合と検知しなかった場合に異なる発光表示を捺印と同時に行うことを特徴とする用紙判定用捺印機。
【請求項２】
用紙の真偽判定機能を備える捺印機であって、携帯可能なケース内には捺印機構と用紙の導電性を識別する一対の検出電極とそれに接続する表示回路を備え、前記検出電極が用紙の用紙判定領域の導電性を検知した場合または検知しなかった場合のいずれかには発光表示を捺印と同時に行うことを特徴とする用紙判定用捺印機。
【請求項３】
導電性を検知した場合または検知しなかった場合のいずれかには音声を発生する回路を備えたことを特徴とする請求項２記載の用紙判定用捺印機。
【発明の詳細な説明】
【０００１】
【発明の属する技術分野】
この発明は、用紙の真偽判定機能を備えた捺印機に関し、特に用紙への捺印作業（いわゆる消し込み作業）の際に用紙表面の導電性を検知するとともにそれに応じた信号を発し、それにより容易に用紙の真偽を判定することを可能とする装置に関する。
【０００２】
【従来の技術】
用紙の真偽を見分ける手段としては、用紙基材に「抄入れ」や「すかし」を入れたり、ホログラムや回折格子パターンを設けること、マイクロ文字等の微細な図柄を設ける方法があるが、その判定は視覚によることが多い。また機械読取りが可能、かつ、秘匿性を持たせる手段として、赤外線不可視インキや蛍光インキのような特殊インキを用いる方法と画像処理によりサンプルと比較する方法等がある。
また、導電性部位を有する印刷物としては、カーボンや金属粉末をバインダー樹脂に練り込んだ不透明な導電性インキをスクリーン印刷等によって印刷基材に印刷して得られている。また、透明導電性部位を有する印刷物も酸化インジュウム等の微粉末を練り込んだインキをオフセットあるいはグラビア印刷することによって得られている。
【０００３】
【発明が解決しようとする課題】
しかし、上記の判定方法は人の視覚によるかあるいはルーペ、顕微鏡等を用いる視認により判断するため、その判断基準が曖昧であり時間がかかるという問題がある。また、機械読取りの場合は、特殊なインキを使用する関係上、印刷がコスト高となることや製造上の制約があること、またさらに読取装置自体が高額であるという問題がある。また、画像処理についても精度、時間、コストの面で問題が多い。
【０００４】
一方、導電性インキを用いる印刷物を利用する例としては学習用教材が知られている。例えば、学習カード等において用紙表面の正答部分を導電性、誤答部分は非導電性とし、これを学習者が検出ペンを使用して正答部分をマークした場合は一定の信号を発し、誤答部分をマークした場合は警告信号を発するような学習カードや教育機器は、特公昭５１−２９０６０号公報や、実開昭５５−１２２０号公報等に知られている。
しかし、導電性インキやその検知手段を流通過程における実際の取引の場に応用した事例はあまり知られていない。そこで、本発明者等は、導電性部位を判定対象の用紙に持たせ当該検知機能を捺印機に持たせることによって、日常の業務の中において用紙の真偽を容易に判定可能とすることを着想して本発明を完成するに至った。
【０００５】
【課題を解決するための手段】
上記課題を解決するための本発明の要旨の第１は、用紙の真偽判定機能を備える捺印機であって、携帯可能なケース内には捺印機構と用紙の導電性を識別する一対の検出電極とそれに接続する表示回路を備え、前記検出電極が用紙の用紙判定領域の導電性を検知した場合と検知しなかった場合に異なる発光表示を捺印と同時に行うことを特徴とする用紙判定用捺印機にある。かかる捺印機であるため、目視では分からない偽造用紙であっても捺印と同時に真偽を正しく判定することができる。
【０００６】
上記課題を解決するための本発明の要旨の第２は、用紙の真偽判定機能を備える捺印機であって、携帯可能なケース内には捺印機構と用紙の導電性を識別する一対の検出電極とそれに接続する表示回路を備え、前記検出電極が用紙の用紙判定領域の導電性を検知した場合または検知しなかった場合のいずれかには発光表示を捺印と同時に行うことを特徴とする用紙判定用捺印機にある。かかる捺印機であるため、目視では分からない偽造用紙であっても捺印と同時に真偽を正しく判定することができる。
【０００７】
【発明の実施の形態】
本発明は判定対象の用紙の捺印欄を導電性とするとともに、捺印機に用紙の導電性を検知する機能を持たせ、これを表示することにより、日常業務である捺印作業（消し込み作業）と同時に印刷物が偽造か否かを判定することを可能としたものである。
【０００８】
以下、図面を参照して本発明の実施形態を説明することとする。
図１は、本発明の用紙判定用捺印機を説明する図である。
図１において、図１（Ａ）は捺印機の不使用時の状態、図１（Ｂ）は捺印機の捺印時の状態を示す図である。不使用時の状態では、印鑑１１は印肉皿１２に覆われている。印鑑と印肉皿の全体は外筒１３内を摺動する内筒１４に覆われている。印肉皿は内筒の外側面に沿ってスライドして移動するように設けられた軸１７に回転可能に取り付けられている。内筒のさらに内側には印鑑を支持する固定筒１５が設けられていて、印鑑自体はこの固定筒に刻設した螺旋溝にねじ込むかピン装置により装着可能とされている。固定筒は筒内で外筒と一体にされており、内筒は固定筒と外筒の間の円筒面状の溝内を上下動するようにされている。すなわち内筒は内筒の上端と外筒間に設けられた弾性体１６により不使用時は図１（Ａ）のように突出した状態にされているが、一定の位置で停止して印鑑面は印肉皿でカバーされるようになされ、捺印時は外筒内に没入するようにされている。
【０００９】
図１（Ｂ）の捺印時においては外筒を持って、内筒の先端を用紙の捺印面に押し当て押圧するので内筒１４は弾性体１６の力に抗して固定筒１５と外筒１３の間の溝内を摺動して押し込められ収納された状態になる。この際、印肉皿１２は、固定筒と印肉皿の軸受け部に設けられた梃子装置１８により回転軸１７を中心に９０°回転して印鑑面を露出するように外側に移動する。
【００１０】
内筒１４が最も押圧された状態ではその先端は、図１（Ｂ）のように印鑑１１面よりも多少内側に入るが、通常の捺印状態では内筒の先端部と印鑑の印面とは同一の平面位置にあることになる。そこで、内筒が所定距離移動して用紙面に接近した際に、外筒内に設けられた接触子によりスイッチ１９が「ＯＮ」状態になり、内筒が突出した状態では「ＯＦＦ」状態となるようにしておけば捺印時には電源が入力されることになる。あるいは捺印時にかかわらず捺印機の使用時には電源「ＯＮ」状態となるように人為的に電源をスイッチ入力してもよい。また、この内筒の全体または一部を導電性として検出電極２４とし、印鑑の一部か印鑑とは別に印鑑の近辺に検出電極２５を設ければ、用紙面が導電性であれば回路を形成することが可能となる。
図１は、判定用捺印機の機械的構造を示したもので電気系統の詳細は省略されているが、用紙が導電性であるか否かを示す表示用発光体２０であるランプが図示されている。表示用ランプは導電性である場合の表示と非導電性である場合の表示用の双方を設けても良いし、いずれかの場合に表示するものであってもよい。表示用ランプの一方側の配線は電源スイッチ１９に接続されさらに検出電極に接続される。
【００１１】
図２は、用紙判定用捺印機の電気系統を示す図である。
用紙判定用捺印機１の筒内には、直流電源２２、表示回路２３およびランプ、発光ダイオード（ＬＥＤ）等の表示用発光体２０，２１が収容され、表示用発光体は捺印機の上部に設けた窓から観察されるようにされている。表示用発光体は用紙が導電性である場合または導電性でない場合のいずれかの場合にその表示がされるようにしてあればよいが、図示の場合は、いずれの場合も発光するように２種の異なる表示用発光体２０，２１が設けられている。
検出電極２４，２５は用紙の導電性を識別するためのもので、一方の検出電極２４は内筒１４に沿って回路が設けられ先端部で用紙面に接触するようにされている。他方の検出電極２５は印鑑または印鑑の周囲付近に設けられる。内筒側の検出電極は捺印の際の押圧でスイッチ１９が「ＯＮ」状態となり表示回路２３に接続する。
【００１２】
図３は用紙判定用捺印機の表示回路の一例を示す図である。
図３のように、表示回路は直流電源に電源スイッチを介して第１の表示用発光体と第２の表示用発光体との直列回路Ａを直列接続するとともに、検出電極からの出力でＯＮ，ＯＦＦされるスイッチング回路Ｂを第２の発光体に並列接続し、上記第１の表示用発光体の発光開始電流値を第２の表示用発光体の発光開始電流値よりも大に設定することにより簡易な回路構成によりしかも発光表示を正確に行うようにされている。
【００１３】
図３において、２２は直流電源、１９は検出電極２４の出没により、または使用時に人為的に「ＯＮ」「ＯＦＦ」される電源スイッチである。点線で囲まれた回路Ａは、第１の表示用発光体２０と第２の表示用発光体２１との直列回路で、スイッチ１９を介して直流電源２２に直列接続されている。発光表示を明瞭にするために、例えば第１の表示用発光体２０は緑色で、第２の表示用発光体２１は赤色で発光するように選定することができる。
第１の表示用発光体２０としてランプを、第２の表示用発光体２１として発光ダイオードを用いる場合には、第１の発光体の発光開始電流値を第２の発光体の発光開始電流値よりも高く設定することができる。２８は第２の発光体、つまり発光ダイオード２１の電流制限用抵抗体である。
【００１４】
回路Ｂは、一対のトランジスタ２６，２７をダーリントン接続してなるスイッチング回路で出力段トランジスタ２６のコレクタが抵抗体２８とランプ２０の接続点に、また、エミッタが発光ダイオード２１のアノードにそれぞれ接続されている。２４，２５はスイッチング回路Ｂにおける入力段トランジスタ２７のベース側に接続された検出電極で、両者２４，２５の短絡によって用紙の判定領域３０の導電性が検知されるようになっている。なお、２９は回路抵抗体である。
【００１５】
上記回路構成において、検出電極２４，２５を用紙の判定領域３０に押しつけると、一方の電極２４がばね力に抗して没入して、電源スイッチ１９が「ＯＮ」状態になる。この時、用紙の判定領域３０が非導電性である場合には、各トランジスタ２６，２７が動作しないため、電源２２からランプによる表示用発光体２０と発光ダイオードによる表示用発光体２１の直列回路Ａに電流が流れる。ところで、発光ダイオードの発光開始電流値よりもランプの発光開始電流値が大きいことから、この場合は発光ダイオードのみが発光し、非導電物質であることが赤色で表示される。
【００１６】
用紙の判定領域３０が導電性である場合には、検出電極２４，２５が短絡され、トランジスタ２６，２７がＯＮする。トランジスタ２６がＯＮすることにより、発光ダイオード２１の両端が短絡されるから、この発光ダイオードの発光が停止されると同時に、ランプへの電流が発光開始電流値以上となって、このランプが発光し、導電性であることが緑色表示される。
このように、発光開始電流値が第２の表示用発光体２１の発光ダイオードよりも大きい第１の表示用発光体２０であるランプを上記発光ダイオードに直列接続し、この発光ダイオードに対してスイッチング回路Ｂを並列接続することにより回路構成を単純化することができるとともに、スイッチング回路ＢのＯＮ時に必ず発光ダイオードの両端が短絡されるから、検出電極２４，２５の導通時に確実に発光ダイオードの発光が停止して、ランプのみを発光させることができる。なお、上記実施形態では、第１の表示用発光体２０としてランプを使用したものであるが、第２の表示用発光体２１の発光開始電流よりも大に設定できるものであれば、上記ランプに限定されるものではない。
また、上記回路構成において、第１の表示用発光体２０を設けず第２の表示用発光体２１のみとし、第１の表示用発光体２０の位置にはそれと等価の抵抗体のみを設けておけば、用紙の判定領域３０が非導電性である場合にのみ発光するようにすることができる。
【００１７】
図４は用紙判定用捺印機の表示回路の他の一例を示す図である。
図４の場合、検出電極２５はトランジスタ３３のベースに接続され、このベースは回路抵抗体３９によりトランジスタ３３のコレクタに接続されている。トランジスタ３３のコレクタはスイッチ１９を介して表示用発光ダイオード３１およびメロディーＬＳＩまたはブザー３４に接続され、トランジスタ３３のエミッタ側は直流電源３２の正端子に接続されている。
【００１８】
この状態で検出電極２４，２５が用紙の判定領域３０に接触し当該領域が導電性である場合には、検出電極２４，２５が短絡されトランジスタ３３をＯＮ状態にすると用紙が導電性であることを表示するダイドード３１およびメロディーＬＳＩまたはブザー３４に電流が流れるので、ダイオードが発光しメロディーまたはブザー音が流れる。
図４の場合は、上記のように用紙の判定領域が導電性である場合に表示装置が動作するようにされているが、用紙の判定領域が非導電性である場合に表示装置が動作するようにする場合は、前記のように図３の回路を利用することができる。なお、メロディーＬＳＩまたはブザーを使用することは任意的なものであり、必ずしも使用する必要はない。
【００１９】
図５は、用紙判定用捺印機の検出電極を説明する図である。検出電極はどのような形状としても良いが、用紙判定領域との良好な接触を確保することが必要である。図５（Ａ）は検出電極２４を内筒の先端部分に円環状に設け、検出電極２５を印鑑の先端部分に円環状に設けた場合を示している。図５（Ｂ）も同様に、検出電極２４を内筒の先端部分に円環状に設けているが検出電極２４の円環状の先端の一部に突起状の針電極２４１を持たせた例である。針の長さは通常の紙の厚さ以内とすることにより、捺印に支障のない限り印鑑の先端に持たせることもできる。こうすることにより、内筒または印鑑の先端が印肉等で汚れた場合も、用紙の判定領域との良好な接触を保つことができる。
【００２０】
【発明の効果】
本発明の用紙判定用捺印機は、捺印装置内に用紙の導電性を検知する検出電極と検知結果を表示するための表示回路と表示用発光体を設けたので、一体の構造により日常の捺印作業に使用することができる。また、本発明の用紙判定用捺印機に使用される用紙の捺印欄を導電性としておくことにより、捺印欄が非導電性である「偽」の用紙が使用された場合には捺印作業の過程において容易に検出することができる。
【図面の簡単な説明】
【図１】  本発明の用紙判定用捺印機を説明する図である。
【図２】  用紙判定用捺印機の電気系統を示す図である。
【図３】  用紙判定用捺印機の表示回路の一例を示す図である。
【図４】  用紙判定用捺印機の表示回路の他の一例を示す図である。
【図５】  用紙判定用捺印機の検出電極を説明する図である。
【符号の説明】
１    用紙判定用捺印機
１１    印鑑
１２    印肉皿
１３    外筒
１４    内筒
１５    固定筒
１６    弾性体
１７    回転軸
１８    梃子装置
１９    電源スイッチ
２０    第１の表示用発光体（ランプ）
２１    第２の表示用発光体（発光ダイオード）
２２，３２    直流電源
２３    表示回路
２４，２５    検出電極
２６，２７，３３    トランジスタ
２８，２９，３８，３９    回路抵抗体
３０    用紙の判定領域
３１    発光ダイオード
３４    メロディーＬＳＩまたはブザー
【図１】
0003898286.tif 000002
【図２】
0003898286.tif 000003
【図３】
0003898286.tif 000004
【図４】
0003898286.tif 000005
【図５】
0003898286.tif 000006